(57)【特許請求の範囲】
【請求項１】
周波数を順次選択することによって現在位置において受信可能な放送局を特定する機能を有する放送受信機であって、
放送局を識別するための識別子を有する複数の放送電波を受信するための受信手段と、
放送電波を放送する放送局ごとに、前記識別子と、前記放送電波の送信周波数と、前記放送電波が受信可能な場合にさらに受信できる可能性があると予め判断された他の放送局の前記識別子を０または１つ以上有する識別子リストとが関連付けられた複数のデータの組である放送局関連テーブル、および、現在位置において受信可能な放送局のリストであるチャンネルプリセット情報を記憶するための記憶手段と、
前記複数の放送電波から、指定された放送局の周波数を選択するための選局手段と、
前記指定された放送局からの放送電波が受信されたことを検知するための検知手段と、
前記放送局関連テーブルに基づいて、前記選局手段による周波数の選択を制御するための制御手段と、
前記制御手段による制御の結果に基づいて、いずれの放送局が受信できる可能性があるかを判断する判断手段とを備え、
前記制御手段は、
前記選局手段に、前記放送局関連テーブルに含まれるいずれか１つの放送局の周波数を順次選択させるための第１の選局制御手段と、
前記いずれか１つの放送局からの放送電波が受信されると、前記選局手段に、前記いずれか１つの放送局の前記識別子リストに含まれる前記識別子の各々に関連付けられる各々の前記送信周波数を順次選択させるための第２の選局制御手段とを含み、
前記判断手段によって受信できる可能性があると判断された放送局のリストを前記チャンネルプリセット情報として、前記記憶手段に記憶させるための手段をさらに備える、放送受信機。
【請求項２】
前記検知手段は、受信された前記放送電波から、前記識別子を検出するための識別子検出手段を含み、
前記第１の選局制御手段は、前記識別子が検出されるまで、前記選局手段に前記いずれか１つの放送局の周波数を順次選択させる、請求項１に記載の放送受信機。
【請求項３】
前記検知手段は、前記放送電波の電界強度を検出するための電界強度検出手段を含み、
前記記憶手段は、前記電界強度について予め定められた基準値を記憶し、
前記第２の選局制御手段は、前記電界強度と前記基準値とに基づいて、前記選局手段に、前記いずれか１つの放送局の前記識別子リストに含まれる前記識別子の各々に関連付けられる各々の前記送信周波数のいずれか１つの周波数を順次選択させる、請求項１または２に記載の放送受信機。
【請求項４】
前記電界強度は、Ｃ／Ｎ比（Carrier to Noise ratio）であり、
前記第２の選局制御手段は、前記Ｃ／Ｎ比が前記基準値を上回るまで、前記選局手段に、前記送信周波数のいずれか１つの周波数を順次選択させる、請求項３に記載の放送受信機。
【請求項５】
前記検知手段は、前記放送電波から、ＴＭＣＣ（Transmission and Multiplexing Configuration Control）信号を検出するための信号検出手段を含み、
前記第２の選局制御手段は、前記ＴＭＣＣ信号が検出されるまで、前記選局手段に、前記送信周波数のいずれか１つの周波数を順次選択させる、請求項１または２に記載の放送受信機。
【請求項６】
前記放送受信機は、前記送信周波数に基づいて選択される第１の放送局に関連付けられる第１の識別子リストと、前記第１の識別子リストに含まれる識別子に基づいて選択される第２の放送局に関連付けられる第２の識別子リストとに基づいて、前記選局手段に、周波数を順次選択させるための第３の選局制御手段をさらに備える、請求項１〜５のいずれかに記載の放送受信機。
【請求項７】
前記第３の選局制御手段は、前記第１の識別子リストと前記第２の識別子リストとのいずれにも含まれる前記識別子を有する放送電波の周波数を選択する、請求項６に記載の放送受信機。
【請求項８】
周波数を順次選択することによって現在位置において受信可能な放送局を特定する機能を有する放送受信機であって、
放送局を識別するための識別子を有する複数の放送電波を受信するための受信手段と、
放送電波を放送する放送局ごとに、前記識別子と、前記放送電波の送信周波数と、前記放送電波が受信可能な場合にさらに受信できる可能性があると予め判断された他の放送局の前記識別子を０または１つ以上有する識別子リストとが関連付けられた複数のデータの組である放送局関連テーブル、および、現在位置において受信可能な放送局のリストであるチャンネルプリセット情報を記憶するための記憶手段と、
前記複数の放送電波から、指定された放送局の周波数を選択するための選局手段と、
前記指定された放送局からの放送電波が受信されたことを検知するための検知手段と、
前記放送局関連テーブルに基づいて、前記選局手段による周波数の選択を制御するための制御手段と、
前記制御手段による制御の結果に基づいて、いずれの放送局が受信できる可能性があるかを判断する判断手段と、
前記判断手段によって受信できる可能性があると判断された放送局のリストを前記チャンネルプリセット情報として、前記記憶手段に記憶するための手段とを備え、
前記制御手段は、前記選局手段に、前記放送局関連テーブルに含まれるいずれか１つの放送局の周波数を順次選択させるための第１の選局制御手段を含み、
前記第１の選局制御手段は、
前記放送局関連テーブルに含まれるいずれか１つの放送局が検出されるまで、前記選局手段に、前記送信周波数に基づいて、前記放送電波を受信できる放送局の周波数を順次選択させるための手段と、
前記いずれか１つの放送局が検出されると、前記選局手段に周波数の順次選択を中止させるための中止手段とを含み、
前記放送受信機は、前記周波数の順次選択の中止に基づいて、前記いずれか１つの放送局と、前記いずれか１つの放送局の前記識別子リストに含まれる前記識別子に対応する放送局とを、前記チャンネルプリセット情報として、前記記憶手段に記憶させるための手段をさらに備える、放送受信機。
【請求項９】
前記検知手段は、受信された前記放送電波と前記放送局関連テーブルとに基づいて、前記放送局関連テーブルに含まれる放送局と異なる新たな放送局が検出されたことを検知し、
前記放送受信機は、前記新たな放送局の検出に基づいて、前記記憶手段に格納されている前記放送局関連テーブルを更新するための更新手段をさらに備える、請求項１〜７のいずれかに記載の放送受信機。
【請求項１０】
前記放送受信機は、前記新たな放送局の検出に基づいて、前記放送電波から、前記放送局の識別子を取得するための取得手段をさらに備え、
前記更新手段は、
取得された前記識別子および前記放送電波の受信周波数を、前記放送局関連テーブルの新たなデータの組として新たに追加するための手段と、  取得された前記識別子に、前記新たな放送局以外に検出された既存の放送局の前記識別子を前記識別子リストとして関連付けるための手段と、
前記既存の放送局の識別リストに、前記新たな放送局の識別子を追加するための手段とを含む、請求項９に記載の放送受信機。
【請求項１１】
前記第１または第２の選局制御手段は、前記選局手段に、前記放送局関連テーブルに含まれる送信周波数の個数の降順に、前記送信周波数を選択させる、請求項１〜７および請求項９〜１０のいずれかに記載の放送受信機。
【請求項１２】
前記第１の選局制御手段は、前記選局手段に、前記放送局関連テーブルに含まれる送信周波数の個数の降順に、前記送信周波数を選択させる、請求項８に記載の放送受信機。
【請求項１３】
前記識別子は、地上波デジタルテレビ放送において送出されるネットワーク情報テーブルに含まれるネットワーク識別である、請求項１〜１２のいずれかに記載の放送受信機。
【請求項１４】
前記識別子は、地上波デジタルラジオ放送において送出されるネットワーク情報テーブルに含まれるネットワーク識別である、請求項１〜１２のいずれかに記載の放送受信機。
【請求項１５】
前記識別子は、ＦＭ（Frequency Modulation）多重放送において送出される放送局識別である、請求項１〜１２のいずれかに記載の放送受信機。
【発明の詳細な説明】
【技術分野】
【０００１】
本発明は放送受信機に関し、特に周波数スキャン機能を有する放送受信機に関する。
【背景技術】
【０００２】
地上デジタル放送は、予め定められた規格に基づく配列情報を有するデジタルデータを送信する。この配列情報に関し、たとえば、ＡＲＩＢ  ＳＴＤ−Ｂ１０  ３．６版（社団法人電波産業会）（非特許文献１）は、デジタル放送に使用する番組配列情報を開示する。
【０００３】
この地上デジタル放送を受信する受信機において、放送の存在する周波数（チャンネル）を特定するために、周波数スキャンを行なう必要がある。この周波数スキャンに関し、たとえばＡＲＩＢ  ＴＲ−Ｂ１４  １．６版（社団法人電波産業会）（非特許文献２）は、初期スキャン、再スキャンに関し、地上デジタル放送の受信機に求められるスキャン機能を開示する。
【非特許文献１】ＡＲＩＢ  ＳＴＤ−Ｂ１０  ３．６版、第６３−６６頁、社団法人電波産業会
【非特許文献２】ＡＲＩＢ  ＴＲ−Ｂ１４  １．６版、第２−１０〜２−１１頁、社団法人電波産業会  周波数スキャンにおいて、チューナが特定の周波数でロックすることが確認された後、ＴＳ（Transport Stream）が送出されていることが確認され、ＴＳに多重されている番組識別情報ＳＩ（Service Information）の１つであるネットワーク情報テーブルＮＩＴ（Network Information Table）が取得される。このように一般的には、放送の有無だけでなく、ネットワーク識別や放送局名等のチャンネル情報も取得される。この場合、電波の受信可能な範囲のすべての周波数（すなわちＵＨＦ（Ultra High Frequency）をスキャンするためには、長時間要する。なお、各放送局の周波数やチャンネル情報は、ほぼ固定されており、変更されることはあまりない。通常、固定受信機では、据付時、たとえば購入時あるいは引越し時に、周波数スキャンを一度だけ実行すればよい。
【発明の開示】
【発明が解決しようとする課題】
【０００４】
しかしながら、携帯端末その他の移動端末は、所定の地域を越えて移動する度に、周波数スキャンを実行する必要がある。その場合、端末がスキャン機能を自動的に実行してもスキャンに時間を要するため、使用者にとって必ずしも使い勝手が良好とはいえない。また、移動端末において自動的にスキャン機能を実現するためには、周波数と地域情報との特定のために、位置情報を必要とする。この情報は、たとえばＧＰＳ（Global Positioning System）信号等により提供されるが、移動端末は、ＧＰＳアンテナ、処理回路その他、位置情報を特定する機能を実現する手段を必要とする。
【０００５】
本発明は、上述の問題点を解決するためになされたものであって、その目的は、スキャン時間を短縮することができる放送受信機を提供することである。
【０００６】
また、本発明の他の目的は、無駄なスキャンを抑制することができる放送受信機を提供することである。
【課題を解決するための手段】
【０００７】
上記の課題を解決するために、この発明のある局面に従うと、放送受信機は、周波数を順次選択することによって現在位置において受信可能な放送局を特定する機能を有する。この放送受信機は、放送局を識別するための識別子を有する複数の放送電波を受信するための受信手段と、放送電波を放送する放送局ごとに、識別子と、放送電波の送信周波数と、放送電波が受信可能な場合にさらに受信できる可能性があると予め判断された他の放送局の識別子を０または１つ以上有する識別子リストとが関連付けられた複数のデータの組である放送局関連テーブル、および、現在位置において受信可能な放送局のリストであるチャンネルプリセット情報を記憶するための記憶手段と、複数の放送電波から、指定された放送局の周波数を選択するための選局手段と、指定された放送局からの放送電波が受信されたことを検知するための検知手段と、放送局関連テーブルに基づいて、選局手段による周波数の選択を制御するための制御手段と、制御手段による制御の結果に基づいて、いずれの放送局が受信できる可能性があるかを判断する判断手段とを備える。制御手段は、選局手段に、放送局関連テーブルに含まれるいずれか１つの放送局の周波数を順次選択させるための第１の選局制御手段と、いずれか１つの放送局からの放送電波が受信されると、選局手段に、いずれか１つの放送局の識別子リストに含まれる識別子の各々に関連付けられる各々の送信周波数を順次選択させるための第２の選局制御手段とを含む。放送受信機は、判断手段によって受信できる可能性があると判断された放送局のリストをチャンネルプリセット情報として、記憶手段に記憶させるための手段をさらに備える。
【０００８】
好ましくは、検知手段は、受信された放送電波から、識別子を検出するための識別子検出手段を含む。第１の選局制御手段は、識別子が検出されるまで、選局手段にいずれか１つの放送局の周波数を順次選択させる。
【０００９】
好ましくは、検知手段は、放送電波の電界強度を検出するための電界強度検出手段を含む。記憶手段は、電界強度について予め定められた基準値を記憶する。第２の選局制御手段は、電界強度と基準値とに基づいて、選局手段に、いずれか１つの放送局の識別子リストに含まれる識別子の各々に関連付けられる各々の送信周波数のいずれか１つの周波数を順次選択させる。
【００１０】
好ましくは、電界強度は、Ｃ／Ｎ比（Carrier to Noise ratio）である。第２の選局制御手段は、Ｃ／Ｎ比が基準値を上回るまで、選局手段に、送信周波数のいずれか１つの周波数を順次選択させる。
【００１１】
好ましくは、検知手段は、放送電波から、ＴＭＣＣ（Transmission and Multiplexing Configuration Control）信号を検出するための信号検出手段を含む。第２の選局制御手段は、ＴＭＣＣ信号が検出されるまで、選局手段に、送信周波数のいずれか１つの周波数を順次選択させる。
【００１２】
好ましくは、放送受信機は、送信周波数に基づいて選択される第１の放送局に関連付けられる第１の識別子リストと、第１の識別子リストに含まれる識別子に基づいて選択される第２の放送局に関連付けられる第２の識別子リストとに基づいて、選局手段に、周波数を順次選択させるための第３の選局制御手段をさらに備える。
【００１３】
好ましくは、第３の選局制御手段は、第１の識別子リストと第２の識別子リストとのいずれにも含まれる識別子を有する放送電波の周波数を選択する。
【００１４】
この発明の他の局面に従うと、放送受信機は、周波数を順次選択することによって現在位置において受信可能な放送局を特定する機能を有する。この放送受信機は、放送局を識別するための識別子を有する複数の放送電波を受信するための受信手段と、放送電波を放送する放送局ごとに、識別子と、放送電波の送信周波数と、放送電波が受信可能な場合にさらに受信できる可能性があると予め判断された他の放送局の識別子を０または１つ以上有する識別子リストとが関連付けられた複数のデータの組である放送局関連テーブル、および、現在位置において受信可能な放送局のリストであるチャンネルプリセット情報を記憶するための記憶手段と、複数の放送電波から、指定された放送局の周波数を選択するための選局手段と、指定された放送局からの放送電波が受信されたことを検知するための検知手段と、放送局関連テーブルに基づいて、選局手段による周波数の選択を制御するための制御手段と、制御手段による制御の結果に基づいて、いずれの放送局が受信できる可能性があるかを判断する判断手段と、判断手段によって受信できる可能性があると判断された放送局のリストをチャンネルプリセット情報として、記憶手段に記憶するための手段とを備える。制御手段は、選局手段に、放送局関連テーブルに含まれるいずれか１つの放送局の周波数を順次選択させるための第１の選局制御手段を含む。第１の選局制御手段は、放送局関連テーブルに含まれるいずれか１つの放送局が検出されるまで、選局手段に、送信周波数に基づいて、放送電波を受信できる放送局の周波数を順次選択させるための手段と、いずれか１つの放送局が検出されると、選局手段に周波数の順次選択を中止させるための中止手段とを含む。放送受信機は、周波数の順次選択の中止に基づいて、いずれか１つの放送局と、いずれか１つの放送局の識別子リストに含まれる識別子に対応する放送局とを、チャンネルプリセット情報として、記憶手段に記憶させるための手段をさらに備える。
【００１５】
好ましくは、検知手段は、受信された放送電波と放送局関連テーブルとに基づいて、放送局関連テーブルに含まれる放送局と異なる新たな放送局が検出されたことを検知する。放送受信機は、新たな放送局の検出に基づいて、記憶手段に格納されている放送局関連テーブルを更新するための更新手段をさらに備える。
【００１６】
好ましくは、放送受信機は、新たな放送局の検出に基づいて、放送電波から、放送局の識別子を取得するための取得手段をさらに備える。更新手段は、取得された識別子および放送電波の受信周波数を、放送局関連テーブルの新たなデータの組として新たに追加するための手段と、取得された識別子に、新たな放送局以外に検出された既存の放送局の識別子を識別子リストとして関連付けるための手段と、既存の放送局の識別リストに、新たな放送局の識別子を追加するための手段とを含む。
【００１７】
好ましくは、放送受信機は、放送電波の受信に基づいて、放送電波の受信周波数と、記憶手段に記憶されている送信周波数とを比較するための比較手段と、比較手段による比較の結果に基づいて、記憶手段に記憶されている放送局の情報を更新するための情報更新手段とをさらに備える。
【００１８】
好ましくは、情報更新手段は、受信周波数と送信周波数とが一致しない場合には、記憶手段に記憶されている送信周波数を受信周波数に置換する。
【００１９】
好ましくは、放送受信機は、放送局の情報が更新されると、選局手段に、放送電波受信帯域のすべての周波数を順次選択させるための更新周波数選局手段をさらに備える。
【００２０】
好ましくは、検知手段は、放送電波に含まれる識別子と、放送局関連テーブルに含まれる識別子とが一致する同一放送局を検出するための手段と、同一放送局の識別子が放送局関連テーブルに複数含まれているか否かを検知するための手段と、同一放送局の識別子が放送局関連テーブルに複数含まれている場合に、同一放送局が関連付けられている放送局の送信周波数と、受信された放送電波の受信周波数とが一致するか否かを判断するための手段と、送信周波数と受信周波数とが一致する場合には、送信周波数を有する放送電波を受信可能であると判断するための手段とを含む。
【００２１】
好ましくは、第１の選局制御手段は、チャンネルプリセット情報に基づいて、選局手段に、放送電波を受信できる周波数を順次選択させるためのプリセットチャンネル優先選局制御手段を含む。検知手段は、選局手段が、放送電波を受信できる周波数を選択したか否かを検知する。第１の選局制御手段は、選局手段が放送電波を受信できる周波数を選択しない場合に、チャンネルプリセット情報に含まれる周波数と異なる周波数に基づいて、選局手段に、放送電波を受信できる周波数を順次選択させるための手段をさらに含む。
【００２２】
好ましくは、第１または第２の選局制御手段は、選局手段に、放送局関連テーブルに含まれる送信周波数の個数の降順に、送信周波数を選択させる。
【００２３】
好ましくは、識別子は、地上波デジタルテレビ放送において送出されるネットワーク情報テーブルに含まれるネットワーク識別である。
【００２４】
好ましくは、識別子は、地上波デジタルラジオ放送において送出されるネットワーク情報テーブルに含まれるネットワーク識別である。
【００２５】
好ましくは、識別子は、ＦＭ（Frequency Modulation）多重放送において送出される放送局識別である。
【発明の効果】
【００２６】
本発明に係る放送受信機によると、スキャンの対象となる周波数が限定されるため、不要なスキャンの実行が省略される。これにより、使用者の待ち時間を短縮することができる。
【発明を実施するための最良の形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
図１を参照して、本発明の実施の形態に係る放送受信機１００について説明する。図１は、放送受信機１００のハードウェア構成を表わすブロック図である。
【００２９】
放送受信機１００は、放送電波を受信するためのアンテナ１０１と、放送電波から選局が指示された放送局に対応する周波数を選択するためのチューナ１０２と、チューナ１０２から出力される信号に基づいて映像音声信号とサービス情報信号とを分離するためのＤＥＭＵＸ（de-Multiplexer）回路１０３と、ＤＥＭＵＸ回路１０３から出力される映像音声信号を映像信号と音声信号とに分離するためのＡＶ（Audio Visual）デコーダ１０４と、ＡＶデコーダ１０４から出力される信号を予め定められた処理を実行して出力するための映像処理回路１０５と、入力される信号を合成して出力するための合成回路１０６と、合成回路１０６から出力される信号を出力するための映像出力回路１０７と、映像出力回路１０７から出力される映像信号に基づいて映像を表示するためのディスプレイ１０８と、ＡＶデコーダ１０４から出力される音声信号に対して予め定められた処理を実行するための音声処理回路１０９と、音声処理回路１０９から出力される信号を外部に出力するための処理を実行するための音声出力回路１１０と、音声出力回路１１０から出力される音声信号に基づいて音声を出力するためのスピーカ１１１と、予め準備されたデータおよびプログラムを格納するためのＲＯＭ（Read Only Memory）１２１と、データを一時的に格納するためのＲＡＭ（Random Access Memory）１２２と、データの書込および読出ができる不揮発性メモリ１２３と、外部から入力される信号と予め準備されたデータとに基づいて予め定められた処理を実行するためのシステムコントローラ１２０と、番組ガイド、メニューその他のディスプレイ１０８に表示させるためのデータを生成するＯＳＤ（On Screen Display）信号生成回路１１４とを含む。
【００３０】
アンテナ１０１により受信された放送電波信号はチューナ１０２に入力される。チューナ１０２から出力される信号は、ＤＥＭＵＸ回路１０３に入力される。ＤＥＭＵＸ回路１０３から出力されるＭＰＥＧ（Moving Picture Experts Group）データは、ＡＶデコーダ１０４に入力される。またＤＥＭＵＸ回路１０３から出力されるサービス情報信号は、システムコントローラ１２０に入力される。ＡＶデコーダ１０４から出力される映像信号は、映像処理回路１０５に入力される。またＡＶデコーダ１０４から出力される音声信号は、音声処理回路１０９に入力される。さらにＡＶデコーダ１０４は、システムコントローラ１２０との間で画像データを通信する。
【００３１】
システムコントローラ１２０は、チューナ１０２に制御信号を出力して、チューナ１０２による周波数の選択動作を制御する。この制御信号は、たとえば、不揮発性メモリ１２３に予め格納されているデータと操作キー１１２を介して入力される指示とに基づいて、生成される。
【００３２】
システムコントローラ１２０は、ＯＳＤ制御信号をＯＳＤ信号生成回路１１４に出力して、ＯＳＤ信号生成回路１１４の信号生成動作を制御する。ＯＳＤ信号生成回路１１４は、その制御信号に基づいて表示用のデータを生成する。このデータには、チャンネル番号、番組ガイドその他放送受信機１００のユーザに示すためのデータが含まれる。ＯＳＤ信号生成回路１１４から出力される信号は、合成回路１０６に入力される。映像処理回路１０５から出力される信号も同様に合成回路１０６に入力される。合成回路１０６は、映像処理回路１０５から出力される映像でたとえばＯＳＤ信号生成回路１１４から出力されるＯＳＤ表示データと合成して出力する。
【００３３】
ＲＯＭ１２１は、システムコントローラ１２０に所定の動作を実行させるために予め準備されたプログラムを格納する。またＲＯＭ１２１は、ディスプレイ１０８に表示させるためのデータ（たとえばチャンネル番号）などもさらに記憶する。
【００３４】
ＲＡＭ１２２は、システムコントローラ１２０の処理の実行により生成されたデータを一時的に格納する。このデータには、チューナ１０２によって選局されるチャンネル番号が含まれる。
【００３５】
不揮発性メモリ１２３は、放送受信機１００のユーザの指示により生成されたデータ、あるいはシステムコントローラ１２０の処理の実行によって生成されたデータなどを記憶する。これらのデータには、たとえば新たに選局されたチャンネル番号、選局動作の実行により更新された各チャンネル番号ごとに対応付けられるスキャン情報などが含まれる。さらに、不揮発性メモリ１２３は、放送電波の送信元である放送局に対応付けられる情報を記憶する。この情報には、放送局を識別するための識別子その他の情報、その放送局の送信周波数、さらにその放送局に関連付けられる他の放送局の情報などが含まれる。なお、この情報の構成については、図２において詳述する。
【００３６】
図２を参照して、本実施の形態に係る放送受信機１００におけるデータ構造について説明する。図２は、放送受信機１００の不揮発性メモリ１２３が格納するデータの構成を概念的に表わす図である。これらのデータは、たとえば後述するように、相互に関連付けられて格納されており、放送局関連テーブルとして使用される。このデータは、放送受信機１００の生産時に予め設定され、不揮発性メモリ２３に格納される。なお、このデータは、後述するように、放送電波の選択（いわゆるスキャン）時の結果に応じて、逐次更新され得る。
【００３７】
このメモリに格納される放送局のデータレコードを識別するための識別番号は、データ領域Ｄ２１０に格納される。
【００３８】
放送局を識別するための放送局識別子は、データ領域Ｄ２２０に格納される。この放送局識別子は、放送電波を送信する各放送局において固有の情報である。
【００３９】
その放送局に割当てられる送信周波数を表わすための情報は、データ領域Ｄ２３０に格納される。その放送局に関連付けられる他の放送局を識別するためのデータは、データ領域Ｄ２４０に格納される。
【００４０】
たとえば、識別番号が「１」である放送局のデータに関し、その放送局の放送局識別子は、「１００１」である。その放送局に割り当てられる周波数は、１７チャンネルである。この放送局に関連付けられる他の放送局は、識別番号として２、３、４、５、６、および７を有する放送局である。この他局リストは、すなわち、放送局識別番号「１００１」の放送局の電波を受信可能である場合には、さらに他の放送局として、識別番号２（放送局識別子１００１）〜識別番号７（放送局識別子１００７）を受信可能であることを表わす。
【００４１】
図２をさらに参照して、スキャン処理における各データの使用態様について説明する。以下では、本実施の形態に係る放送受信機１００がＡの位置に存在する場合について説明する。この場合、Ａの位置において受信可能な放送局は、識別番号「１」〜「３」である。識別番号１には、図２示すように、１７チャンネルが関連付けられている。識別番号「２」には、同様に、２３チャンネルが関連付けられている。識別番号「３」には、同様に、２１チャンネルが関連付けられている。
【００４２】
したがって、たとえば１３チャンネルからスキャンが開始されると、１３チャンネルから１６チャンネルまでは、放送局が検出されない。周波数が１７チャンネルになると、識別番号「１」の放送局が検出される。この放送局に関連付けられる他局リスト（図２のデータ領域Ｄ２４０）には、識別番号「２」〜「７」が含まれる。このうち、１３チャンネルの識別番号「４」の放送局は、上記したように、受信できないことが確認されている。
【００４３】
そこで、他局リストの先頭に位置する識別番号「２」についてスキャンされ、この番号の周波数である２３チャンネルが受信可能であると判断される。このチャンネルの他局リストには、識別番号「１」、「３」、「７」〜「１０」が受信可能性のある放送局の識別番号として含まれている。このうち、識別番号「１」の他局リストにも含まれる識別番号は、「３」および「７」である。したがって、これらがスキャンの候補として残る。
【００４４】
次に、識別番号「３」についてスキャンされ、この番号の周波数である２１チャンネルが受信可能であると判断される。このチャンネルの他局リストには、識別番号「１」、「２」、「４」、および「１０」〜「１２」が受信可能性のある放送局の識別番号として含まれている。このうち、受信可能な放送局として識別番号「１」および「２」の他局リストの双方にも含まれる識別番号は、存在しない。
【００４５】
この結果、さらにスキャン処理を行なうための候補となる識別番号が残存しないため、ここでスキャン処理は終了する。すなわち、受信可能な放送局は、識別番号「１」〜「３」の放送局である。
【００４６】
また、上記の処理において、実際にスキャンされたチャンネルは、１３チャンネル〜１７チャンネル、２３チャンネルおよび２１チャンネルである。すなわち、７つのチャンネルがスキャンされたことになる。
【００４７】
図２を再び参照して、各放送局の送信周波数の登録件数に基づいてスキャンする場合について説明する。
【００４８】
不揮発性メモリ１２３のデータ領域Ｄ２３０には、送信周波数が格納されている。この領域には、同一の送信周波数が何度も格納されている。すなわち、同一の送信周波数に基づいて電波を送信する複数の放送局に対して異なる識別番号が与えられている場合、データ領域Ｄ２３０には、同じ送信周波数が含まれることになる。
【００４９】
図２の例では、２１チャンネルは、４件の識別番号に関連付けられている。１７チャンネルは、３件の識別番号に関連付けられている。１５チャンネルおよび１６チャンネルは、２件の識別番号に関連付けられている。その他のチャンネルは、１件の識別番号に関連付けられている。この場合、関連付けられた数の多い周波数に基づいてスキャン処理を実行することができる。
【００５０】
すなわち、最初に、２１チャンネルがスキャンされる。２１チャンネルは、識別番号「３」、「１３」および「１９」に関連付けられている。放送受信機１００がＡの位置にある場合、識別番号「３」の放送局の電波は受信可能であると判断される。その他の番号の放送局の電波は受信できないと判断される。
【００５１】
識別番号「３」の他局リスト（データ領域Ｄ２４０）には、識別番号「１」（１７チャンネル）、同「２」（２３チャンネル）、同「４」（１３チャンネル）、同「１０」（１６チャンネル）、同１１（１７チャンネル）、および同「１２」（１８チャンネル）が含まれる。
【００５２】
この中から、データ領域Ｄ２３０に関連付けられている件数の多いチャンネル、すなわち、１７チャンネル（３件）がスキャンされる。１７チャンネルは、識別番号「１」に関連付けられるため、受信可能であると判断される。識別番号「１」の他局リストには、識別番号「２」〜「７」が含まれている（データ領域Ｄ２４０）。
【００５３】
この場合、識別番号「３」および識別番号「１」のいずれの他局リストにも含まれる識別番号は、「２」および「４」である。これらが関連付けられるチャンネル、すなわち２３チャンネルおよび１３チャンネルは、いずれも同じ件数の関連付けが行なわれているため、いずれかが選択される。
【００５４】
たとえば、１３チャンネルは、識別番号が「４」であるため、受信可能であると判断されない。また、２３チャンネルは、識別番号が「２」であるため、受信可能であると判断される。これにより、スキャンの対象がなくなるため、スキャンは打ち切られる。その結果、電波が受信可能出ると判断される放送局は、識別番号「１」〜「３」の放送局であると判断される。また、この場合、実際にスキャン処理は、２１チャンネル、１７チャンネル、１３チャンネルおよび２３チャンネルについて実行されている。すなわち、４回のスキャン処理により、放送受信機１００が受信可能な放送局の周波数が検出されたことになる。
【００５５】
なお、このデータ構造の内容は、図２に示したものに限られない。また、このデータ構造の内容は、後述するように、放送電波の選択動作の結果に基づいて変更され得る。たとえば、データ領域Ｄ２４０における他局リストに含まれる識別番号が追加される場合、削除される場合等が生じ得る。なお、特定の放送局に関連付けられる他の放送局のリストについては後述する。
【００５６】
また、不揮発性メモリ１２３に記憶される複数の放送局のデータに関し、すべての放送局に、受信可能な他の放送局が関連付けられていなくても良い。すなわち、他局リストがデータ領域Ｄ２４０に含まれないような放送局のデータが、図２に示した放送局関連テーブルにあってもよい。
【００５７】
図３を参照して、特定の放送局と他の放送局との関連について説明する。図３は、各放送局の関係を概念として表わした図である。
【００５８】
図３において、丸に囲まれた数字は、図２に示した放送局を識別するための識別番号である。すなわち、「１」から「１９」までの放送局が示されている。各放送局を結ぶ線は、その線の両端にある放送局は、受信可能な位置関係にあることを表わす。たとえば、識別番号が「１」である放送局の場合、識別番号が「２」から「７」までの放送局と対応付けられる。
【００５９】
図３をさらに参照して、たとえば放送受信機１００がＡの位置にいる場合、少なくとも識別番号が「１」から「３」までの放送局からの放送電波を受信することができる。この場合、識別番号「１」に対して、上記番号「２」〜「７」の周波数が受信可能である。識別番号「２」に対して、識別番号「１」、「３」、「７」、「８」、「９」、および「１０」の放送電波が受信可能である。さらに、識別番号「３」に対して、識別番号「１」、「２」、「４」、「１０」、「１１」、および「１２」の放送電波が受信可能である。
【００６０】
図４を参照して、本実施の形態に係る放送受信機１００の制御構造について説明する。図４は、放送受信機１００のシステムコントローラ１２０が実行するスキャン処理の手順を表わすフローチャートである。この処理は、たとえば放送受信機１００の操作キー１１２を介してスキャン処理の開始指示が入力された場合、あるいは予め定められた時刻になった場合に実行される。また、その他の条件が成立したときに開始されるように設定してもよい。
【００６１】
ステップＳ４０２にて、放送受信機１００のシステムコントローラ１２０は、放送局関連テーブル（図２）の全放送局を受信候補放送局リストへ追加する。このデータは、たとえばＲＡＭ１２２に格納される。ステップＳ４０４にて、システムコントローラ１２０は、不揮発性メモリ１２３のチャンネルプリセット情報領域を初期化する。ステップＳ４０６にて、システムコントローラ１２０は、チューナ１０２を介して、受信候補放送局リストにおいて出現頻度が最も高い周波数を選択する。ここで、周波数の出現頻度とは、放送局関連テーブルに含まれる各放送局の送信周波数が同一であるものの個数をいう。
【００６２】
なお、ステップＳ４０４では、不揮発性メモリ１２３のチャンネルプリセット情報領域を初期化するとしたが、チャンネルプリセット情報の内容をＲＡＭ１２２に退避しておき、ステップＳ４０６において、受信候補放送局リストにおいて出現頻度が最も高い周波数を選択する代わりに、ＲＡＭ１２２に退避したチャンネルプリセット情報に含まれる周波数から順に周波数を選択し、ＲＡＭ１２２に退避したチャンネルプリセット情報に含まれる周波数をすべて選択した後は、それら以外の周波数を順次選択するようにしてもよい。
【００６３】
ステップＳ５００にて、システムコントローラ１２０は、後述する放送受信判定処理を実行する。この処理が実行されると、特定の周波数で受信可能な放送局の有無、受信候補放送局リストの中に含まれる放送局が受信されたか否かの判断、あるいはＮＩＴに記載されているネットワーク識別と同一の放送局が受信されたか否かの判断が行なわれる。
【００６４】
ステップＳ４１０にて、システムコントローラ１２０は、放送が受信されたか否かを判断する。放送が受信された場合には（ステップＳ４１０にてＹＥＳ）、処理はステップＳ４１２に移される。そうでない場合には（ステップＳ４１０にＮＯ）、処理はステップＳ６００に移される。
【００６５】
ステップＳ４１２にて、システムコントローラ１２０は、受信されたと判断された放送局をＲＡＭ１２２の所定のデータ領域に書込む。ステップＳ６００にて、システムコントローラ１２０は、後述する受信候補放送局リスト更新処理を実行する。この処理が実行されると、所定の条件に該当する放送局が受信候補放送局リストから削除される。
【００６６】
ステップＳ４１６にて、システムコントローラ１２０は、受信候補放送局リストが空であるか否かを判断する。この判断は、たとえばＲＡＭ１２２の所定のデータ領域に放送局を識別するためのデータが存在するか否かに基づいて行なわれる。受信候補放送局リストが空である場合には（ステップＳ４１６にてＹＥＳ）、処理は終了する。そうでない場合には（ステップＳ４１６にてＮＯ）、処理はステップＳ４０６に戻される。
【００６７】
図５を参照して、本実施の形態に係る放送受信機１００の制御構造についてさらに説明する。図５は、システムコントローラ１２０が実行する放送受信判定処理の手順を表わすフローチャートである。
【００６８】
ステップＳ５０２にて、システムコントローラ１２０は、Ｃ／Ｎ比が一定レベル以上であるか否かを判断する。ここで、Ｃ／Ｎ比とは、搬送波と雑音との比を表わす。この数値が大きいほど良好な状態である。Ｃ／Ｎ比が一定レベル以上である場合には（ステップＳ５０２にてＹＥＳ）、処理はステップＳ５０４に移される。そうでない場合は（ステップＳ５０２にてＮＯ）、処理はステップＳ５１０に移される。
【００６９】
ステップＳ５０４にて、システムコントローラ１２０は、受信候補放送局リストに同一周波数の放送局が複数存在するか否かを判断する。そのような放送局が受信候補放送局リストに複数存在する場合には（ステップＳ５０４にてＹＥＳ）、処理はステップＳ５０６に移される。そうでない場合には（ステップＳ５０４にてＮＯ）、処理はステップＳ５１２に移される。
【００７０】
ステップＳ５０６にて、システムコントローラ１２０は、ＮＩＴが取得されたか否かを判断する。ＮＩＴが取得されたと判断すると（ステップＳ５０６にてＹＥＳ）、処理はステップＳ５０８に移される。そうでない場合には（ステップＳ５０６にてＮＯ）、処理はステップＳ５１０に移される。
【００７１】
ステップＳ５０８にて、システムコントローラ１２０は、受信候補放送局リストの中でＮＩＴに記載されたネットワーク識別と同一の放送局が受信されたと判定する。ステップＳ５１０にて、システムコントローラ１２０は、現在の周波数で受信可能な放送局はないと判定する。ステップＳ５１２にて、システムコントローラ１２０は、受信候補放送局リストの中で周波数が同一の放送局が受信されたと判定する。
【００７２】
図６を参照して、本実施の形態に係る放送受信機１００の制御構造についてさらに説明する。図６は、システムコントローラ１２０が実行する受信候補放送局リスト更新処理の手順を表わすフローチャートである。
【００７３】
ステップＳ６０２にて、チューナ１０２からの信号に基づいて、システムコントローラ１２０は、放送が受信されたか否かを判断する。放送が受信されたと判断すると（ステップＳ６０２にてＹＥＳ）、処理はステップＳ６０４に移される。そうでない場合には（ステップＳ６０２にてＮＯ）、処理はステップＳ６０６に移される。
【００７４】
ステップＳ６０４にて、システムコントローラ１２０は、受信候補放送局リストから、放送局関連テーブルにおいて現在の放送局に関連付けられた他局リストに記載されてない放送局を削除する。
【００７５】
ステップＳ６０６にて、システムコントローラ１２０は、受信候補放送局リストから、現在の選局周波数と同一周波数の放送局を削除する。
【００７６】
図７を参照して、本実施の形態に係る放送受信機１００の制御構造についてさらに説明する。図７は、システムコントローラ１２０が実行する全スキャン処理の手順を表わすフローチャートである。この処理は、たとえば全スキャン処理を実行する指示を与えるためのキー操作が行なわれた場合、あるいは、予め定められた時刻になった場合に実行される。
【００７７】
ステップＳ７０２にて、システムコントローラ１２０は、不揮発性メモリ１２３のチャンネルプリセット情報領域を初期化する。ステップＳ７０４にて、システムコントローラ１２０は、スキャン周波数として最小の周波数をセットする。すなわち、ＲＡＭ１２２の所定のデータ領域に最小周波数を表わすデータが格納される。ステップＳ７０６にて、システムコントローラ１２０は、スキャン周波数を選局する。
【００７８】
ステップＳ７０８にて、システムコントローラ１２０は、Ｃ／Ｎ比が一定レベル以上であるか否かを判断する。Ｃ／Ｎ比が一定以上である場合には（ステップＳ７０８にてＹＥＳ）、処理はステップＳ７１０に移される。そうでない場合は（ステップＳ７０８にてＮＯ）、処理はステップＳ７１４に移される。
【００７９】
ステップＳ７１０にて、システムコントローラ１２０は、ＮＩＴが取得されたか否かを判断する。ＮＩＴが取得された場合には（ステップＳ７１０にてＹＥＳ）、処理はステップＳ７１２に移される。そうでない場合には（ステップＳ７１０にてＮＯ）、処理はステップＳ７１４に移される。
【００８０】
ステップＳ７１２にて、システムコントローラ１２０は、該当する放送局を識別するデータを不揮発性メモリ１２３のチャンネルプリセット情報領域に格納する。ステップＳ７１４にて、システムコントローラ１２０は、すべての周波数のスキャンが終了したか否かを判断する。この判断は、たとえばスキャンごとに周波数に対応付けられるフラグをオンに設定し、そのフラグはすべてオンに設定されたか否かを検知することにより行なわれる。すべての周波数のスキャンが終了している場合には（ステップＳ７１４にてＹＥＳ）、処理はステップＳ８００に移される。そうでない場合には（ステップＳ７１４にてＮＯ）、処理はステップＳ７１６に移される。
【００８１】
ステップＳ７１６にて、システムコントローラ１２０は、スキャン周波数として次の周波数をセットする。すなわち、未だスキャンの対象とされていない周波数を識別するデータ（たとえばチャンネル番号）が、ＲＡＭ１２２の所定のデータ領域に格納される。その周波数がセットされると、処理はステップＳ７０６に戻され、スキャン処理が再び実行される。
【００８２】
ステップＳ８００にて、システムコントローラ１２０は、後述する放送局関連テーブル更新処理を実行する。この処理が実行されると、所定の上限に該当する放送局のデータが放送局関連テーブルに追加される。
【００８３】
図８を参照して、本実施の形態に係る放送受信機１００の制御構造についてさらに説明する。図８は、システムコントローラ１２０が実行する放送局関連テーブル更新処理の手順を表わすフローチャートである。
【００８４】
ステップＳ８０２にて、システムコントローラ１２０は、不揮発性メモリ１２３に格納されている放送局のデータのうち、放送局関連テーブルに既に登録されている放送局（たとえば放送局Ａ）について、周波数その他の属性が現在の受信内容と異なっている場合にはその属性を更新する。
【００８５】
ステップＳ８０４にて、システムコントローラ１２０は、不揮発性メモリ１２３のチャンネルプリセット情報領域に格納されている放送局のうち、放送局関連テーブルに未登録の放送局（たとえば放送局Ｂ）を放送局Ａの他局リスト（すなわち図２に示したデータ領域Ｄ２４０）に追加する。
【００８６】
ステップＳ８０６にて、システムコントローラ１２０は、不揮発性メモリ１２３のチャンネルプリセット情報領域に格納されている放送局データのうち、放送局関連テーブルに未登録の放送局Ｂを表わすデータを、そのテーブルに追加する。
【００８７】
ステップＳ８０８にて、システムコントローラ１２０は、不揮発性メモリ１２３のチャンネルプリセット情報領域に格納されている放送局のデータのすべてと、その放送局のうち放送局関連テーブルに既に登録されている放送局Ａの他局リスト（すなわちデータ領域Ｄ２４０）に記載されている放送局すべてを、放送局Ｂの他局リストに登録する。
【００８８】
以上のような構造およびフローチャートに基づく、本実施の形態に係る放送受信機１００の動作について説明する。
【００８９】
放送受信機１００がスキャン処理を開始すると、放送局関連テーブル（たとえば図２）の全放送局が受信候補放送局リストに追加される（ステップＳ４０２）。出現頻度すなわち識別番号に関連付けられる回数が最も多い周波数が選局される（ステップＳ４０６）。
【００９０】
放送受信機１００は、放送受信判定処理（ステップＳ５００）を開始し、Ｃ／Ｎ比が一定レベル以上であり（ステップＳ５０２にてＹＥＳ）、受信候補放送局リストに同一周波数の放送局が複数存在し（ステップＳ５０４にてＹＥＳ）、ＮＩＴが取得されると（ステップＳ５０６にてＹＥＳ）、受信候補放送局リストの中でＮＩＴに記載されたネットワーク識別と同一の放送局が受信されたと判定する（ステップＳ５０８）。その結果、放送が受信されたと判定され（ステップＳ４１０にてＹＥＳ）、その放送局の識別番号が不揮発性メモリ１２３の所定のデータ領域に格納される（ステップＳ４１２）。
【００９１】
放送受信機１００は、受信候補放送局リストの更新処理を開始し（ステップＳ６００）、放送が受信可能と判断すると（ステップＳ６０２）、受信候補放送局リストから、放送局関連テーブルにおいてその放送局に関連付けられた他局リストに掲載されていない放送局を削除する（ステップＳ６０４）。その結果、受信候補放送局リストが空になると（ステップＳ４１６にてＹＥＳ）、処理は終了する。
【００９２】
以上のようにして、本発明の実施の形態に係る放送受信機１００によると、予め不揮発性メモリ１２３に格納されている放送局関連テーブルに基づいて、スキャン処理が実行される。そのテーブルに含まれる各放送局の識別番号には、電波が受信可能であると予め判断された他の放送局の識別番号が関連付けられている。スキャン処理において、その関連データに基づいて、他の放送局が受信可能であるか否かが判断される。
【００９３】
このようにすると、放送受信機１００は、放送局の識別番号に関連付けられた周波数ごとにスキャン処理を実行する必要がないため、必要な放送局を効率よく検出することができる。これにより、スキャン処理の待ち時間を抑制することができる放送受信機１００を提供することができる。
【００９４】
また、本実施の形態に係る放送受信機１００は、位置情報の入力を必要としない。したがって、受信位置が変更されても、位置情報がない場合であっても、スキャン処理を実行することができる。また、放送受信機１００の構成を簡略化することができる。
【００９５】
なお、以上の説明においては、ＳＦＮ（Single Frequency Network）の場合について説明したが、ＭＦＮ（Multi Frequency Network）の場合についても、同様にスキャン処理を実行することができる。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】本発明に係る放送受信機の構成を表わすブロック図である。
【図２】本発明に係る放送受信機におけるデータ構造を概念的に表わす図である。
【図３】図２に示したデータに基づく周波数のスキャンを説明するための図である。
【図４】本発明に係る放送受信機が実行する処理の手順を表わすフローチャート（その１）である。
【図５】本発明に係る放送受信機が実行する処理の手順を表わすフローチャート（その２）である。
【図６】本発明に係る放送受信機が実行する処理の手順を表わすフローチャート（その３）である。
【図７】本発明に係る放送受信機が実行する処理の手順を表わすフローチャート（その４）である。
【図８】本発明に係る放送受信機が実行する処理の手順を表わすフローチャート（その５）である。
【符号の説明】
【００９８】
１００  放送受信機、１０１  アンテナ、１０２  チューナ、１０３  ＤＥＭＵＸ回路、１０４  ＡＶデコーダ、１０５  映像処理回路、１０６  合成回路、１０７  映像出力回路、１０８  ディスプレイ、１０９  音声処理回路、１１０  音声出力回路、１１１  スピーカ、１１２  操作キー、１１４  ＯＳＤ回路、１２０  システムコントローラ、１２１  ＲＯＭ、１２２  ＲＡＭ、１２３  不揮発性メモリ。
【図１】
0004623989.tif 000002
【図２】
0004623989.tif 000003
【図３】
0004623989.tif 000004
【図４】
0004623989.tif 000005
【図５】
0004623989.tif 000006
【図６】
0004623989.tif 000007
【図７】
0004623989.tif 000008
【図８】
0004623989.tif 000009